(57)【要約】【課題】必要最小限の装置を利用して、複数に分割された既設躯体を簡易に撤去することを可能とした既設躯体撤去方法を提案するとともに、この既設躯体撤去方法を利用した既設構造物改良工法を提案する。【解決手段】既設壁１１を複数のコンクリートブロック３に分割して、コンクリートブロック３を搬出する。フォークリフト５の爪５１に対応する二つのフォーク用孔３１を各コンクリートブロック３に形成した後、既設壁１１を切削してコンクリートブロック３を形成する作業と、フォークリフト５を利用してコンクリートブロック３を手前側に抜き出す作業とを繰り返すことにより複数のコンクリートブロック３を搬出する。【選択図】図２
2020139319.tif 000002
【特許請求の範囲】
【請求項１】
既設躯体を複数のコンクリートブロックに分割して、前記コンクリートブロックを搬出する既設躯体撤去方法であって、
前記既設躯体を切削して前記コンクリートブロックを形成する切断作業と、フォークリフトを利用して前記コンクリートブロックを手前側に抜き出す抜出作業とを繰り返すことにより複数の前記コンクリートブロックを搬出する工程を備え、
前記抜出作業の前に、前記フォークリフトの爪に対応する二つの孔を前記コンクリートブロックに形成することを特徴とする、既設躯体撤去方法。
【請求項２】
高さ方向で分割される複数段の前記コンクリートブロックのうちの少なくとも最上段に位置するコンクリートブロックである最上段ブロックは、当該最上段ブロックよりも下側のコンクリートブロックを抜き出した後に抜き出すものとし、
前記最上段ブロックは、当該最上段ブロックを下側から支持する昇降リフターを利用して下降させた後、前記フォークリフトにより手前側に抜き出すことを特徴とする、請求項１に記載の既設躯体撤去方法。
【請求項３】
前記コンクリートブロックを横移動させてから手前側に抜き出すことを特徴とする、請求項１または請求項２に記載の既設躯体撤去方法。
【請求項４】
既設構造物に新設構造物を増設する既設構造物改良工法であって、
前記既設構造物に隣接して前記新設構造物を構築する増設工程と、
前記新設構造物に面する前記既設構造物の既設壁を撤去する撤去工程と、を備えており、
前記撤去工程では、前記既設壁を切削してコンクリートブロックを形成する切断作業と、前記コンクリートブロックを搬出する抜出作業と繰り返すものとし、
前記抜出作業の前に、フォークリフトの爪に対応する二つの孔を前記コンクリートブロックに形成することを特徴とする、既設構造物改良工法。
【請求項５】
前記撤去工程では、前記既設壁の前記既設構造物側を防護壁で覆うことを特徴とする、請求項４に記載の既設構造物改良工法。
【発明の詳細な説明】
【技術分野】
【０００１】
本発明は、既設躯体撤去方法および既設構造物改良工法に関する。
【背景技術】
【０００２】
老朽化した既設構造物を解体する場合、既設構造物に開口部を新設する場合、既設構造物に新設構造物を接合する場合等においては、既設構造物の躯体（既設躯体）を撤去することがある。既設躯体の撤去方法としては、既設躯体を複数のブロックに分割した後、クレーン等の揚重機によりブロックを吊り上げた状態で搬出する方法がある（例えば特許文献１参照）。揚重機を利用してブロックを搬出するためには、ブロックの上方に揚重機のアーム等を配設するための空間が確保されている必要がある。そのため、既設躯体を横向きに貫く開口部を形成する場合や、屋内など上方に他の躯体が存在する場所では、揚重機を利用してブロックを搬出できなかった。
【０００３】
特許文献２には、ブロックの撤去装置が開示されている。特許文献２の撤去装置は、ブロックの下側から手前側に延設されたレールと、ブロックに固定されているとともにレール上を摺動する保持移動部と、一端がレールに取り付けられていて、他端が保持移動部に取り付けられたチェーンブロックとを備えている。この撤去装置を利用すれば、チェーンブロックを操作することにより、保持移動部がレール上を摺動し、ブロックを手前側に引き出すことが可能となる。ところが、特許文献２のブロックの撤去装置は、ブロック毎にレールを盛り替える作業や、ブロック毎に保持移動部を固定する作業に手間がかかる。また、撤去装置を利用して引き出したブロックは、他の装置（例えば、クレーン等）を利用して輸送手段に積み替える必要があるため、手間や費用が掛かる。
【先行技術文献】
【特許文献】
【０００４】
【特許文献１】特開２００３−０９０１３６号公報
【特許文献２】特開平１０−００８７４１号公報
【発明の概要】
【発明が解決しようとする課題】
【０００５】
本発明は、前記の問題点を解決することを目的とするものであり、必要最小限の装置を利用して、既設躯体の少なくとも一部を簡易に撤去することを可能とした既設躯体撤去方法を提案するとともに、この既設躯体撤去方法を利用した既設構造物改良工法を提案することを課題とする。
【課題を解決するための手段】
【０００６】
前記課題を解決するための本発明の既設躯体撤去方法は、既設躯体を複数のコンクリートブロックに分割して、前記コンクリートブロックを搬出するものである。この既設躯体撤去方法は、前記既設躯体を切削して前記コンクリートブロックを形成する切断作業と、フォークリフトを利用して前記コンクリートブロックを手前側に抜き出す抜出作業とを繰り返すことにより複数の前記コンクリートブロックを搬出する工程を備え、前記抜出作業の前に、前記フォークリフトの爪に対応する二つの孔を前記コンクリートブロックに形成する。かかる既設躯体撤去方法によれば、フォークリフトを利用してコンクリートブロックを既設躯体から抜き出すため、コンクリートブロック毎に装置を盛り替える必要がなく、複数のコンクリートブロックを簡易に抜き出すことができる。また、既設躯体から抜き出したコンクリートブロックは、フォークリフトを利用してそのまま輸送手段に積み替えることができるため、別途、積み替え用の装置を使用する必要がない。フォークリフトは、コンクリートブロックに形成された孔に爪を挿入すればよいため、コンクリートブロックを載置するための台座（パレット）等を必要としない。
【０００７】
前記既設躯体撤去方法において、高さ方向で分割される複数段の前記コンクリートブロックのうちの少なくとも最上段に位置するコンクリートブロックである最上段ブロックは、当該最上段ブロックよりも下側のコンクリートブロックを抜き出した後に抜き出すものとし、前記最上段ブロックは当該最上段ブロックを下側から支持する昇降リフターを利用して下降させた後、前記フォークリフトにより手前側に抜き出せばよい。かかる既設躯体撤去方法によれば、最上段ブロックを昇降リフターにより下降させてからフォークリフトにより抜き出すため、フォークリフトの爪を挿入できない高さに位置するコンクリートブロックの搬出を効率的に行うことができる。なお、コンクリートブロックの手前側に柱などの障害物がある場合には、前記コンクリートブロックを横移動させてから手前側に抜き出せばよい。
【０００８】
また、本発明の既設構造物改良工法は、既設構造物に新設構造物を増設するものであって、前記既設構造物に隣接して前記新設構造物を構築する増設工程と、前記新設構造物に面する前記既設構造物の既設壁を撤去する撤去工程とを備えている。前記撤去工程では、前記既設壁を切削してコンクリートブロックを形成する切断作業と、前記コンクリートブロックを搬出する抜出作業と繰り返すものとし、前記抜出作業の前に、フォークリフトの爪に対応する二つの孔を前記コンクリートブロックに形成する。なお、前記撤去工程では、前記既設壁の前記既設構造物側を防護壁で覆うことで、既設構造物に粉塵やコンクリート片等が飛来することを防止するのが望ましい。かかる既設構造物改良工法によれば、フォークリフトを利用してコンクリートブロックを抜き出すため、コンクリートブロック毎に装置を盛り替える必要がなく、複数のコンクリートブロックを簡易に抜き出すことができる。また、抜き出したコンクリートブロックは、フォークリフトを利用してそのまま輸送手段に積み替えることができるため、別途、積み替え用の装置を使用する必要がない。
【発明の効果】
【０００９】
本発明の既設躯体撤去方法および既設構造物改良工法によれば、フォークリフトを利用してコンクリートブロックを既設躯体から抜き出すため、複数のコンクリートブロックを抜き出す作業および輸送手段に上載する作業を簡易に行うことができる。その結果、必要最小限の装置を利用して、複数に分割された既設躯体を簡易に撤去することが可能となる。
【図面の簡単な説明】
【００１０】
【図１】本発明の実施形態に係る既設構造物および新設構造物を示す断面図である。
【図２】撤去工程における第一ブロックの撤去状況を示す図であって、（ａ）は正面図、（ｂ）は縦断面図である。
【図３】（ａ）はフォークリフトを示す側面図、（ｂ）はコンクリートブロックのずれ止めを示す正面図である。
【図４】撤去工程における既設壁の一般部でのコンクリートブロックの撤去状況を示す図であって、（ａ）は正面図、（ｂ）は縦断面図である。
【図５】撤去工程における既設壁の一般部での最上段ブロックの撤去状況を示す図であって、（ａ）は正面図、（ｂ）は縦断面図である。
【図６】昇降リフターを示す図であって、（ａ）は正面図、（ｂ）は側面図、（ｃ）は車輪部分の拡大図である。
【図７】昇降リフターの設置状況を示す図であって、（ａ）は正面図、（ｂ）は側面図である。
【図８】撤去工程における既設壁の柱裏ブロックの撤去状況を示す正面図である。
【図９】他の形態に係る養生状況を示す側面図である。
【発明を実施するための形態】
【００１１】
本実施形態では、図１に示すように、既設構造物１に新設構造物２を増設する既設構造物改良工法について説明する。既設構造物１はコンクリート造の地下構造物であって、二層構造である。既設構造物１に増設する新設構造物２もコンクリート造の二層構造とする。なお、既設構造物１および新設構造物２の構造等は限定されるものではない。
既設構造物改良工法は、既設構造物１に隣接して新設構造物２を構築する増設工程と、新設構造物２に面する既設構造物１の既設壁（既設躯体）１１を撤去する撤去工程とを備えている。
【００１２】
増設工程では、新設構造物２を既設構造物１に隣接して構築するとともに、新設構造物２の端部を既設構造物１に連結する。新設構造物２の既設構造物１側の側面は、壁がなく、開口している。また、新設構造物２の既設構造物１側の端部には、新設柱２１が形成されている。
撤去工程では、既設構造物１の新設構造物２側の既設壁１１を撤去して、既設構造物１の内部空間と新設構造物２の内部空間を連続させる。既設壁１１の撤去は、図２（ａ）および（ｂ）に示すように、既設壁１１を複数のコンクリートブロック３に分割し、分割した各コンクリートブロック３を搬出することにより行う。
【００１３】
撤去工程では、まず、既設壁１１の既設構造物１側（新設構造物２の反対側）の面を防護壁４で覆う（準備作業）。防護壁４は、撤去工程において生じる粉塵などが、既設構造物１内に飛散することを防止し得るものである。防護壁４が防音機能を備えていれば、施工時の騒音による既設構造物１側への影響を抑えることができる。なお、防護壁４は、必要に応じて設置すればよい。
【００１４】
次に、既設壁１１にフォークリフト５の爪５１に対応する一対の孔（フォーク用孔３１，３１）を形成する（準備作業）。一対のフォーク用孔３１，３１は、既設壁１１を複数のコンクリートブロック３に分割した際に、各コンクリートブロック３に形成されるように、既設壁１１に所定の間隔をあけて複数形成する。また、フォーク用孔３１は、既設壁１１の壁面に直交するように略水平に形成する。また、フォーク用孔３１の内径は、フォークリフト５の爪５１を挿入可能な大きさとする。なお、フォーク用孔３１は、必ずしも水平である必要はない。また、フォーク用孔３１の断面形状は円形に限定されるものではなく、例えば、矩形であってもよい。準備作業では、必要に応じて各コンクリートブロック３の形状および位置を示す墨出しを行ってもよい。本実施形態では、既設壁１１の一般部においては上下四段のコンクリートブロック３を複数列形成するものとし、新設柱２１の背面においては上下５段のコンクリートブロック３（柱裏ブロック３ａ）を形成する。なお、コンクリートブロック３の形状寸法は限定されるものではないが、フォークリフト５による輸送が可能な大きさ（重さ）になるように形成する。また、フォーク用孔３１を形成するタイミングは限定されるものではなく、準備作業として全てのフォーク用孔３１をあらかじめ形成しておく必要はない。例えば、コンクリートブロック３を形成する際（既設壁１１を切削する際）にコンクリートブロック３毎にフォーク用孔３１を形成してもよい。
【００１５】
撤去工程は、既設壁１１を切削してコンクリートブロック３を形成する切断作業と、コンクリートブロック３を手前側に抜き出す抜出作業とを備えている。この切断作業と抜出作業とを繰り返すことにより、新設構造物２に面する既設壁１１を撤去する。
まず、準備作業後、図２（ａ）に示すように、既設壁１１に対して、略水平に削孔を行い、第一ブロック３ｂを形成する（第一切断作業）。削孔により形成されるコア孔３２は、最初に抜き出すコンクリートブロック３（第一ブロック３ｂ）の周囲を囲うように、コア孔３２の一部同士が重なるように連続して形成し、正面視矩形状の溝を形成する。本実施形態では、上から２段目に配置されたコンクリートブロック３のうちの一つを第一ブロック３ｂとする。なお、コア孔３２は、必ずしも水平である必要はない。また、第一ブロック３ｂは、必ずしも上から２段目のコンクリートブロック３である必要はない。本実施形態では、第一ブロック３ｂの下面に形成されたコア孔３２の延長線上に沿って、複数のコア孔３２を連続して形成する。なお、コア孔３２は、第一ブロック３ｂの周囲のみに形成してもよい。
【００１６】
第一ブロック３ｂを形成したら、フォークリフト５により第一ブロック３ｂを既設壁１１から抜き出す（第一抜出作業）。第一ブロック３ｂを既設壁１１から抜き出す際には、フォークリフト５の左右の爪（フォーク）５１，５１を一対のフォーク用孔３１，３１に挿入し、左右の爪５１，５１で第一ブロック３ｂを持ち上げてからフォークリフト５を後退（既設壁１１から離れる方向に移動）させ、第一ブロック３ｂを既設壁１１から抜き出す。第一ブロック３ｂを抜き出すことにより、既設壁１１に開口が形成される。
【００１７】
ここで、図３（ａ）に示すように、フォークリフト５の爪５１には、マーキング５２が付されている。マーキング５２は、爪５１の先端から、コンクリートブロック３（既設壁１１）の厚さよりも大きな距離を確保した位置に付されている。本実施形態のマーキング５２は、爪５１の先端側から青、黄、赤の三色で表示されている。フォークリフト５の操縦者は、マーキング５２によりコンクリートブロック３に対して爪５１がフォーク用孔３１に十分な長さを挿入してあること確認する。すなわち、マーキング５２の青い部分にまで爪５１がフォーク用孔３１に挿入されていれば、コンクリートブロック３を持ち上げるために必要な挿入長さが確保される。また、操縦者は、爪５１をマーキング５２の赤い部分よりも深く挿入することがないようにフォークリフト５を操作する。このようにすると、フォークリフト５によりコンクリートブロック３を押し込んでしまうことを防止でき、ひいては、コンクリートブロック３が既設壁１１の奥側に落下することを防止できる。なお、マーキング５２は必要に応じて付すものとする。
【００１８】
続いて、既設壁１１の一般部（新設柱２１の背面以外の部分）を切削してコンクリートブロック３を形成する第二切断作業と、形成されたコンクリートブロック３を既設壁１１から抜き出す第二抜出作業とを繰り返すことにより、既設壁１１の一般部を撤去する。本実施形態では、図４（ａ）および（ｂ）に示すように、第一ブロック３ｂの横方向に並設されたコンクリートブロック３（上から２段目のコンクリートブロック３）から撤去し、その後、図５（ａ）および（ｂ）に示すように、撤去されたコンクリートブロック３の下側に配設されたコンクリートブロック３（上から３段目と４段目のコンクリートブロック３）を撤去する。
【００１９】
第二切断作業では、まず、ワイヤーソーを利用して既設壁１１を切削することでコンクリートブロック３を形成する。ワイヤーソーは、第一ブロック３ｂを抜き出すことにより形成された開口に挿入する。なお、コンクリートブロック３を形成する際の手間を簡略化する観点から、既設壁１１を縦横に切断することにより直方体状のコンクリートブロック３を形成するとよい。既設壁１１に、第一ブロック３ｂを撤去することにより開口が形成されているため、ワイヤーソーにより既設壁１１を切削する際に、ワイヤーソーに作用する力が低減される。すなわち、開口部分において力が抜ける状態となるため、切削中のワイヤーソーに作用する圧縮力を低減することができる。
【００２０】
コンクリートブロック３を形成したら、当該コンクリートブロック３を順次フォークリフト５により搬出する。なお、コンクリートブロック３は、図３（ｂ）に示すように、隣接する他のコンクリートブロック３と仮止め冶具３３により連結することが望ましい。隣接するコンクリートブロック３同士を仮止め冶具３３で連結しておけば、何らかの衝撃（例えば、フォークリフト５の接触）がコンクリートブロック３に作用しても、コンクリートブロック３が落下することを防止できる。仮止め冶具３３は、フォークリフト５の爪５１をフォーク用孔３１に挿入した後、コンクリートブロック３から取り外せばよい。なお、仮止め冶具３３は、必要に応じて設置すればよい。
【００２１】
図４（ａ）に示すように、上から２段目のコンクリートブロック３を撤去したら、ワイヤーソーにより上から３段目および４段目のコンクリートブロック３の側面に沿って、既設壁１１を切断する。縦方向に切断したら、撤去するコンクリートブロック３の下面をワイヤーソーにより切断しコンクリートブロックを形成する。なお、コンクリートブロック３の切断方法は限定されるものではなく、例えば、下面を先に切断してもよい。
【００２２】
上から２段目〜４段目のコンクリートブロック３を撤去したら、図５（ａ）および（ｂ）に示すように、最上段（上から１段目）のコンクリートブロック３（最上段ブロック３ｃ）を撤去する。最上段ブロック３ｃは、ワイヤーソーにより側面を切断した後、上面を切断する（第三切断作業）。最上段ブロック３ｃの上面を切断する際は、最上段ブロック３ｃを、最上段ブロック３ｃの下側の空間に配設された昇降リフター６により下面側から支持する。既設壁１１から切り出した最上段ブロック３ｃは、昇降リフター６により下降させた後、フォークリフト５により搬出する（第三抜出作業）。
【００２３】
昇降リフター６は、図６（ａ）および（ｂ）に示すように、台車６１と、台車６１の上方に配設された荷台６２と、台車６１と荷台６２との間に介設されたクロスリンク機構６３と、ジャッキ６４とを備えている。台車６１は、クロスリンク機構６３を介して荷台６２を支持している。台車６１は、前後左右に計４個の車輪６５を有していて、走行可能に構成されている。車輪６５は、レール６６上を走行する。レール６６は、既設壁１１のコンクリートブロック３が撤去された空間の床面に敷設されている。レール６６は、既設壁１１の壁面と平行に敷設する。レール６６は、図６（ｃ）に示すように、車輪６５を挿入可能な溝型部分を有している。車輪６５は、レール６６の溝型部分に挿入されていることで、レール６６から脱輪することが防止されている。すなわち、台車６１は、左右に大きくぶれることなくレール６６に沿って直線移動する。なお、レール６６は、必要に応じて敷設すればよい。荷台６２は、コンクリートブロック３（最上段ブロック３ｃ）を載置するための台座である。荷台６２は、クロスリンク機構６３により昇降可能に支持されている。クロスリンク機構６３は、複数のリンク部材６７を組み合わせることにより伸縮可能に構成されている。クロスリンク機構６３には、ジャッキ６４が設置されていて、ジャッキ６４の伸縮に伴い、展開または折りたたまれる。ジャッキ６４の両端は、それぞれクロスリンク機構６３の上部と下部に取り付けられている。なお、昇降リフター６の構成は限定されるものではない。
【００２４】
図７（ａ）および（ｂ）に示すように、昇降リフター６は、転倒防止手段７を設置した状態で使用する。本実施形態では、転倒防止手段７により、手前側（図７（ｂ）において左側）から引張力を付与させた状態で、昇降リフター６を使用する。転倒防止手段７は、昇降リフター６の荷台６２に係止させたワイヤーなどからなる線材７１と、昇降リフター６の手前側の床面に固定したアンカー７２と、線材７１とアンカー７２とを繋ぐチェーンブロック７３とを備えている。転倒防止手段７は、チェーンブロック７３により長さを調節可能に構成されている。昇降リフター６（荷台６２）の昇降に伴って転倒防止手段７の長さを変化させることで、昇降リフター６への引張力を維持することができる。
【００２５】
最上段ブロック３ｃを撤去して既設壁１１の一般部の撤去が完了したら、図８に示すように、新設柱２１の背面のコンクリートブロック３（柱裏ブロック３ａ）を撤去する。柱裏ブロック３ａは、まず、ワイヤーソーを利用して、ブロック状に切断する（第四切断作業）。柱裏ブロック３ａの切断は、一般部のコンクリートブロック３を撤去することにより形成された空間（側方）からワイヤーソーを掛け回した状態で行う。本実施形態では、下側のコンクリートブロック３から切断して搬出する。コンクリートブロック３を形成したら、当該コンクリートブロック３を横移動させて新設柱２１の背面から抜き出す。柱裏ブロック３ａの横移動は、柱裏ブロック３ａのフォーク用孔３１にワイヤー４２等を巻き付け、このワイヤー４２をチェーンブロック等の引張装置を利用して引っ張ることにより行う。なお、柱裏ブロック３ａの横移動方法は限定されるものではなく、例えば、ジャッキ等を利用して押してもよい。横移動させた柱裏ブロック３ａは、フォークリフト５を利用して搬出する（第四抜出作業）。
【００２６】
下側に昇降リフター６を挿入することが可能な高さに配置された柱裏ブロック３ａは、昇降リフター６を下側に挿入させた状態で切断する（第五切断作業）。そして、昇降リフター６の荷台６２を下降させるとともに、昇降リフター６を横移動させて、新設柱２１の背面から移動させる。そして、フォークリフト５を利用して、柱裏ブロック３ａを搬出する（第五抜出作業）。
【００２７】
以上、本実施形態によれば、既設構造物１と新設構造物２との境界部に形成された既設壁１１を撤去することで、既設構造物１に連続した新設構造物２を形成することができる。
コンクリートブロック３は、フォークリフト５を利用して既設壁１１から抜き出すため、コンクリートブロック３毎に装置を盛り替える必要がなく、複数のコンクリートブロック３を簡易に抜き出すことができる。また、抜き出したコンクリートブロック３は、フォークリフト５を利用してそのまま輸送手段に積み替えることができるため、別途、積み替え用の装置を使用する必要がない。また、コンクリートブロック３に形成されたフォーク用孔３１にフォークリフト５の爪５１を挿入すればよいため、コンクリートブロック３を載置するための台座（パレット）等を必要としない。
【００２８】
また、最上段ブロック３ｃを、最上段ブロック３ｃよりも下側のコンクリートブロック３を抜き出した後に昇降リフター６を利用して下降させてからフォークリフト５により抜き出すため、効率的に搬出できる。すなわち、フォークリフト５の爪５１のマストが既設構造物１（例えば天井）等に接触する場合など、フォークリフト５で直接撤去することができない位置のコンクリートブロック３を効率的に搬出することができる。なお、昇降リフター６は、転倒防止手段７により支持されているため、転倒することがなく、安全である。また、昇降リフター６は、レール６６に沿って移動するため、想定外の方向に移動することもない。
新設柱２１の背面側にあることにより、フォークリフト５により正面から搬出することができない柱裏ブロック３ａは、横移動させてから手前側に抜き出すため、フォークリフト５による搬出が可能である。柱裏ブロック３ａの横移動に昇降リフター６を使用すれば、高い位置の柱裏ブロック３ａの撤去を簡易かつ安全に行うことができる。
【００２９】
以上、本発明に係る実施形態について説明したが、本発明は前述の実施形態に限られず、前記の各構成要素については本発明の趣旨を逸脱しない範囲で適宜変更が可能である。
例えば、前記実施形態では、既設の壁（既設壁１１）を撤去する場合について説明したが、既設躯体撤去方法の対象物（既設躯体）は壁に限定されるものではなく、例えば、柱等であってもよい。
また、前記実施形態では、最上段のコンクリートブロック３を昇降リフター６により下降させるものとしたが、昇降リフター６は、最上段のコンクリートブロック３以外のコンクリートブロック３に使用してもよい。
また、前記実施形態では、コンクリートブロック３を形成する際にワイヤーソーを使用したが、既設壁１１の切削手段は限定されるものではない。
また、前記実施形態では、防護壁４を既設壁１１の背面に設置する場合について説明したが、施工個所の養生方法は限定されるものではない。例えば、図９に示すように、既設壁１１の背面側には、防水シート８１や防音壁８２を設置して養生してもよい。このようにすることで、既設壁１１を削孔（フォーク用孔３１やコア孔３２等）する際の水の飛散や騒音などを低減することができる。防水シート８１や防音壁８２は、仮設足場８３や仮設パネル８４等により支持すればよい。
【符号の説明】
【００３０】
１    既設構造物
１１  既設壁（既設躯体）
２    新設構造物
２１  新設柱
３    コンクリートブロック
３１  フォーク用孔
３２  コア孔
４    防護壁
５    フォークリフト
５１  爪
６    昇降リフター
【図１】
2020139319.tif 000003
【図２】
2020139319.tif 000004
【図３】
2020139319.tif 000005
【図４】
2020139319.tif 000006
【図５】
2020139319.tif 000007
【図６】
2020139319.tif 000008
【図７】
2020139319.tif 000009
【図８】
2020139319.tif 000010
【図９】
2020139319.tif 000011